(57)【要約】【課題】２つの円孔を有する紙状の張りのある材質１枚、紐１本、連結器具２個の３種類の部品で即、組み立て、即、分解出来る帽子を提供する。【解決手段】使用する不織布Ｂの定められた位置に円孔Ｆを設け両端を繋いだ輪状の紐Ｃを１本の紐状にして、両円孔Ｆより紐Ｃの両端を外部に出し、それぞれ連結器具Ｄを取り付けると連結器具Ｄを有する帽子Ａとなる。  内側の２本の紐Ｃの１本を、顎部２に掛ける顎紐にすると、他の１本は自動的に後頭部３に掛ける後頭部紐となる。２本まとめて顎紐、又は後頭部紐にする事もできる。【選択図】図２
2011080179.tif 000002
【特許請求の範囲】
【請求項１】
複数の円孔を有する紙状の張りのある材質１枚、輪状の紐１本、柔軟性のある連結器具２個の３種類の部品で構成され、連結器具によって即、組み立て即、分解可能で、常時、汚れた部品は洗浄又は取替え、張りのある材質の形は使用者の好みの大きさに取り替えることが出来ることを特徴とする連結器具を有する帽子。
【請求項２】
帽子の組み立ては、張りのある材質の内側の両円孔より外側に、輪状の紐を２本の紐状にして両端部を外部に出し、その端部をそれぞれ連結器具に取り付けることにより、３部品の組み合わせが出来ることを特徴とする連結器具を有する帽子。
【請求項３】
請求項２の紐を連結器具に取り付ける工程は、手の指で即、取り付けが出来、円孔、連結器具の破損、紐が切れる以外、単純な構造でありながら揺り動かしても取り外しは不可能に近く、それを手の指で即、取り外しが出来ることを特徴とする連結器具を有する帽子。
【請求項４】
連結器具に連結した紐の役割は、紙状材質の内側では２本の紐の１本を顎紐に選ぶと、他の１本は自動的に後頭部紐となり、頭上の紙状材質を動かぬようにする事であり、外側では円孔より外部に出た紐の両端部を、紙状材質１枚又は複数枚の両円孔を通し、連結器具に連結し、１本の紐を多目的に活用する事を特徴とする連結器具を有する帽子。
【発明の詳細な説明】
【技術分野】
【０００１】  本発明は指で即、組み立て即、分解出来、組み立てた帽子は指以外、揺り動かしても分解せぬ連結器具を有する帽子に関する事である。
【背景技術】
【０００２】  日常使用している帽子は、製縫工程を受け分解出来ぬ構造となっている。【０００３】  夏場、使用する帽子の顎紐は風対策に使用すると、汗等の汚れで悪臭を発する事が有るが、殆どそのままの状態で保存する事が普通である。
【発明の開示】
【発明が解決しようとする課題】
【０００４】  即、部品を組み立て、即、分解出来る帽子を提供する事である。【０００５】  分解した部品の汚れ洗浄、取替え、サイズの変更が出来る帽子を提供することである。【０００６】  帽子の形を小から大に替えても、連結器具に取り付ける作業時間が全て同じな帽子を提供する事である。【０００７】  単純な構造、少ない部品、軽量で通常、帽子として求められる最低条件の日射による目の保護から、種々能力を持った多機能に替える事ができる帽子を提供する事である。【０００８】  組み立てた帽子は、手指以外揺り動かしても分解せず、手指のみの働きで組み立て、分解出来る帽子を提供する事である。
【話題を解決するための手段】
【０００９】  複数の円孔を有する紙状の張りのある材質１枚、輪状の紐１本、柔軟性のある連結器具２ヶの３種類の部品で構成され、連結器具によって即、組み立て即、分解可能で、常時、汚れた部品は洗浄又は取替え、張りのある材質の形は使用者の好みの大きさに取り替える事ができる事を特徴とする。
【００１０】  帽子の組み立ては張りのある材質の内側の両円孔より外側に、輪状の紐を２本の紐状にして両端部を外部にだし、その端部をそれぞれ連結器具に取り付ける事により、３部品の組み合わせが出来る事を特徴とする。
【００１１】  紐を連結器具に取り付ける工程は、手の指で即、取り付けが出来、円孔、連結器具の破損、紐がきれる以外、単純な構造でありながら揺り動かしても、取り外しは不可能に近く、それを手の指で即、取り外しが出来る事を特徴とする。
【００１２】  連結器具に連結した紐の役割は、紙状材質の内側では２本の紐の１本を顎紐に選ぶと、他の１本は自動的に後頭部紐となり、頭上の紙状材質を動かぬようにする事であり、外側では円孔より外部に出た紐の両端部を、紙状材質１枚又は複雑数の両円孔を通し、連結器具に連結し、１本の紐を多目的に活用する事を特徴とする。
【発明の効果】
【００１３】  紙状の張りのある材質に、定められた位置で２つの円孔が設けられれば、紐と連結器具で全て帽子にする事が出きるので、身の回りにあるＡ４サイズ位の封筒等、透明なケースは地図を入れ替え出きるので、案内役のグループリーダーの必需品になる可能性がある。
【００１４】  材質が違い、サイズが違い、使用目的が違っても、円孔の位置が同じならば、重ね合わせての使用が考えられる。
【００１５】  紙状の材質のサイズを大きくして、前方の視野のみの帽子にすると、勉学の集中、難聴になりつつある人のテレビ視聴に役立つ事が考えられる。
【００１６】  頭上に使用する材質は平面状にする事が出きるので、長時間、助手席又はバス席で太陽の日射を受ける場合、平面にした横顔用帽子として使用でき、バスのカーテン閉じを避ける事ができる。
【００１７】  帽子の材質が濡れても手で破れない不織布を使用すると、ハンカチ、タオルを頭上で押さえる帽子で２ｇ、それに日射による目の保護の機能を加えた帽子で３ｇの帽子が、現在の最軽の帽子となっている。
【００１８】  帽子の両円孔の内側で２本の紐の一方を顎紐とすると、他方は自動的に後頭部紐となり、前後の風で飛ばされる事が無くなる。
【発明を実施するための最良の形態】
【００１９】  以下、添付の図面に基づいて本発明の実施例を説明する。【００２０】  図１は不織布Ｂを日射による目の保護のみを目的として縦１３ｃｍ、横２５ｃｍの最小サイズに裁断したもので、２つの円孔Ｆ１，Ｆ２を等間隔に設けてある正面図である。角は丸形にして肌を傷つけないようにしてある。使用目的によってサイズを前方４、後方５、側方６，７に広げたり、不織布Ｂを封筒に替えたり、透明なケースに替えて目的地の地図を差し替える帽子にする事が出来る。【００２１】  図２は図１の最小サイズの不織布Ｂ１枚、紐の両端を繋げて輪状にした紐Ｃ１本、連結器具Ｄ２個の３部品で組み合わせて作成した帽子Ａを頭上部１に被った状態の斜視図である。
輪状の紐Ｃを１本の紐状にして、不織布Ｂの内側の円孔Ｆ１、Ｆ２より紐Ｃの両端を外部に出し、それぞれ連結器具Ｄを取り付け、紐Ｃの両端が内側に戻らないようにする。内側の２本状の紐Ｃの１本を顎紐として顎部２に掛け、他の１本は後頭部紐として後頭部３に掛けた状態が図２である。【００２２】  図３は紐Ｃを連結器具Ｄに取り付けようとする直前の斜視図である。
連結器具Ｄは正方形２個を繋いだような長方形で、辺の長さの比率、Ｄ１：Ｄ２：Ｄ３：Ｄ４：Ｄ５は１：１：１：２：２で柔軟な材質で形成し、Ｄ１とＤ３の中心は切断し、切断口Ｅ１、Ｅ２とする。
円孔Ｆの内側から外部に紐Ｃの輪状を２本の紐Ｃのようにして端部を出し、出した輪の中に図のように連結器具Ｄを置き、切断口Ｅ１、Ｅ２より紐Ｃが連結器具Ｄの内部に入り込む直前の図である。【００２３】  図４は図３の取り付け終了の斜視図である。
紐Ｃが連結器具Ｄの切断口Ｅ１、Ｅ２より内部に入り込んだ図で、その後円孔Ｆの内側より紐Ｃを内部に引くと、連結器具Ｄは不織布Ｂに密着した状態となる。
紐Ｃに連結器具Ｄを取り付けたあと、連結器具Ｄが不織布Ｂより浮いた状態で揺り動かしても分離する事なく、分離は手指で即、分離、取り付けも手指で即、出来る。【００２４】  図４で連結器具Ｄの辺部Ｄ１、Ｄ３の中心を切断しない場合、事前に両連結器具Ｄに紐Ｃを図４のように取り付け、辺部Ｄ４、Ｄ５を近づけ連結器具を筒状にして、両円孔Ｆの内側から紐Ｃを取り付けた連結器具Ｄを外部に出して取り付ける方法がある。
取り外しは辺部Ｄ４、Ｄ５を近づけ連結器具を筒状にして外側の円孔Ｆから内部に入れて取り外す方法である。連結器具Ｄの紛失確立は無くなるが円孔のサイズを通過出来る事が条件である。
【図面の簡単な説明】
【００２５】
【図１】頭に最小サイズの帽子を被った斜視図である。
【図２】最小サイズの不織布の正面図である。
【図３】連結器具に紐を連結しようとする直前の斜視図である。
【図４】連結器具と紐の連結終了直後の斜視図である。
【符号の説明】
【００２６】Ａ          連結器具を有する帽子
Ｂ          不織布
Ｃ          紐
Ｄ          連結器具
Ｄ１〜Ｄ５  連結器具の辺部
Ｅ１、Ｅ２  切断口
Ｆ１、Ｆ２  円孔
１          頭上部
２          顎部
３          後頭部
４          前方
５          側方
６          後方
【図１】
2011080179.tif 000003
【図２】
2011080179.tif 000004
【図３】
2011080179.tif 000005
【図４】
2011080179.tif 000006